(57)【特許請求の範囲】
【請求項１】
撮像素子を備え、該撮像素子上に被写体像を結像して画像信号を生成するとともに、撮影に先だって被写体に対するピント調整を行う撮影装置であって、
ＬＥＤを備え、該ＬＥＤを発光することにより被写体に向けて光を照射する発光部と、
撮影時およびピント調整時の双方で、前記発光部に光を照射させる発光制御部と、
前記画像信号を画像処理することにより顔位置を認識する顔認識部とを備え、
前記発光制御部は、ピント調整時には、前記発光部に照射させる光の輝度を、前記顔認識部により顔位置が認識されたことを条件として、前記撮影時に前記発光部に照射させる光の輝度よりも低い輝度に制限するものであることを特徴とする撮影装置。
【請求項２】
前記発光部は、撮影画角内が二次元的に分割された複数の照射領域それぞれに向けて独立に制御された光を照射するものであり、
前記発光制御部は、前記発光部に、ピント調整時には、前記複数の照射領域のうちの前記顔認識部により認識された顔位置に対応する照射領域への照射光の輝度を、該照射領域を除く照射領域への照射光の輝度よりも低い輝度に制限した光を照射させるものであることを特徴とする請求項１記載の撮影装置。
【発明の詳細な説明】
【技術分野】
【０００１】
本発明は、撮影装置に関する。
【背景技術】
【０００２】
白色発光ダイオードの出現により、撮影装置の撮影補助光を発光ダイオード（ＬＥＤ）で生成することが可能となっている。ＬＥＤは、いままで撮影補助光用に用いられていたキセノン管に比べ駆動電圧が低く、動画撮影時やピント調整時のように長時間継続して発光させることが容易であり、このため、撮影装置にキセノン管の代わりにＬＥＤを搭載する動きが活発になってきている。
【０００３】
ＬＥＤには、発熱による破壊を避ける目的で最大許容電流が定められているが、ここで、静止画撮影時での撮影補助光のような瞬間的な発光では発熱量が小さいことに着目し、静止画撮影時での発光で最大許容電流を超える電流を供給して、ＬＥＤに定格以上の能力を発揮させようとする技術が知られている（例えば、特許文献１参照。）。
【特許文献１】特開２００３−３０７７７１号公報
【発明の開示】
【発明が解決しようとする課題】
【０００４】
近年、ＬＥＤの最大許容電流は、ＬＥＤ製造技術の進歩に伴い上昇しており、継続して流せる最大許容電流以下の電流によっても、補助光として輝度が十分高い光を照射できるようになってきている。
【０００５】
しかしながら、撮影装置で人を撮影する場合にこのように輝度が高い光を人に向けて照射すると強度の眩しさを感じさせてしまう。特に、長時間の継続発光が容易なＬＥＤによる補助光ではこの問題が顕著となる。また、将来、ＬＥＤにより照射可能な輝度はさらに増大することが予想されるため、照射を受ける人の目に影響を与えないよう安全性をさらに高めることが求められている。
【０００６】
本発明は、上記事情に鑑み、補助光の照射による眩しさを緩和し、安全性がより高められた撮影装置を提供することを目的とする。
【課題を解決するための手段】
【０００７】
上記目的を達成する本発明の撮影装置のうちの第１の撮影装置は、動画および静止画を選択的に撮影する撮影装置であって、
ＬＥＤを備え、このＬＥＤを発光することにより被写体に向けて光を照射する発光部と、
被写体までの被写体距離を測定する測距部と、
動画撮影時および静止画撮影時の双方で上記発光部に光を照射させる発光制御部とを備え、
上記発光制御部は、動画撮影時には、上記発光部に照射させる光の輝度を、上記測距部により測定された被写体距離が所定の距離よりも小さいことを条件として、静止画撮影時に上記発光部に照射させる光の輝度よりも低い輝度に制限するものであることを特徴とする。
【０００８】
本発明の第１の撮影装置によれば、動画撮影時で、かつ被写体距離が所定の距離よりも小さいときに照射する光の輝度が、静止画撮影時に照射する光の輝度よりも低く制限されるので、被写体が人である場合に感じさせる眩しさを緩和することができ、被写体距離が所定の距離以上のときには制限のない高い輝度の光により遠くの被写体に対しても十分な照度を与えて撮影することができる。また、ＬＥＤにより発光可能な光の輝度が増大しても、照射を受ける人の目に対する影響を低減し安全性を高めることができる。また、本発明の第１の撮影装置によれば、光の輝度を低く制限しても被写体距離が小さいため適正露出を得ることができ、被写体距離が大きい場合には制限のない輝度の光を照射して適正露出を得ることができる。
【０００９】
また、上記目的を達成する本発明の撮影装置のうちの第２の撮影装置は、撮像素子を備え、この撮像素子上に被写体像を結像して画像信号を生成することにより動画および静止画を選択的に撮影する撮影装置であって、
ＬＥＤを備え、このＬＥＤを発光することにより被写体に向けて光を照射する発光部と、
上記画像信号を画像処理することにより顔位置を認識する顔認識部と、
動画撮影時および静止画撮影時の双方で、上記発光部に光を照射させる発光制御部とを備え、
上記発光制御部は、動画撮影時には、上記発光部に照射させる光の輝度を、上記顔認識部により顔位置が認識されたことを条件として、静止画撮影時に上記発光部に照射させる光の輝度よりも低い輝度に制限するものであることを特徴とする。
【００１０】
本発明の第２の撮影装置によれば、動画撮影時で、かつ顔位置が認識されたときに照射する光の輝度が、静止画撮影時に照射する光の輝度よりも低く制限されるので、人を撮影する場合に眩しさを緩和することができる。また、ＬＥＤにより発光可能な光の輝度が増大しても、照射を受ける人の目に対する影響を低減し安全性を高めることができる。
【００１１】
また、上記目的を達成する本発明の撮影装置のうちの第３の撮影装置は、撮像素子を備え、この撮像素子上に被写体像を結像して画像信号を生成するとともに、撮影に先だって被写体に対するピント調整を行う撮影装置であって、
ＬＥＤを備え、このＬＥＤを発光することにより被写体に向けて光を照射する発光部と、
撮影時およびピント調整時の双方で、上記発光部に光を照射させる発光制御部とを備え、
上記発光制御部は、ピント調整時には、上記発光部に照射させる光の輝度を、撮影時に上記発光部に照射させる光の輝度よりも低い輝度に制限するものであることを特徴とする。
【００１２】
ピント調整のための補助光は静止画撮影時の撮影補助光と異なり、レンズを駆動してピント調整を行う期間継続して照射されるため、人に向かって照射されると、照射された人により強度の眩しさを感じさせる。本発明の第３の撮影装置によれば、ピント調整時に照射する光の輝度が、撮影時に照射する光の輝度よりも低く制限されるので、人を撮影する場合に眩しさを緩和することができる。また、ＬＥＤにより発光可能な光の輝度が増大しても、光の照射を受ける人の目に対する影響を低減し安全性を高めることができる。
【００１３】
ここで、上記本発明の第３の撮影装置は、上記画像信号を画像処理することにより顔位置を認識する顔認識部を備え、
上記発光制御部は、ピント調整時には、上記発光部に照射させる光の輝度を、上記顔認識部により顔位置が認識されたことを条件として、上記撮影時に上記発光部に照射させる光の輝度よりも低い輝度に制限するものであることが好ましい。
【００１４】
顔位置を認識することにより光が人に照射されるのか否かを判別し、人に照射される場合には輝度を制限して眩しさを緩和するとともに人の目への影響を低減する一方、その他の場合には制限のない高い輝度の光を照射してピント調整を行い易くすることができる。
【００１５】
また、上記本発明の第３の撮影装置において、上記発光部は、撮影画角内が二次元的に分割された複数の照射領域それぞれに向けて独立に制御された光を照射するものであり、
上記発光制御部は、上記発光部に、ピント調整時には、上記複数の照射領域のうちの上記顔認識部により認識された顔位置に対応する照射領域への照射光の輝度を、この照射領域を除く照射領域への照射光の輝度よりも低い輝度に制限した光を照射させるものであることが好ましい。
【００１６】
人を撮影する場合に顔位置に対応する領域への光の輝度を抑えて眩しさを緩和し、また人の目に対する安全性を高めると同時に、その他の領域には制限のない高い輝度の光を照射してピント調整を行い易くすることができる。
【００１７】
また、上記目的を達成する本発明の撮影装置のうちの第４の撮影装置は、撮像素子を備え、この撮像素子上に被写体像を結像して画像信号を生成するとともに、撮影に先だって被写体に対するピント調整を行う撮影装置であって、
ＬＥＤを備え、このＬＥＤを発光することにより被写体に向けて光を照射する発光部と、
この撮影装置の撮影条件を人物の撮影に適した状態に設定する人物撮影モードを含む複数の撮影モードから任意の撮影モードを選択する撮影モード選択部と、
撮影時およびピント調整時の双方で、上記発光部に光を照射させる発光制御部とを備え、
上記発光制御部は、ピント調整時には、上記発光部に照射させる光の輝度を、このモード選択部により上記人物撮影モードが選択されたことを条件として、上記撮影時に上記発光部に照射させる光の輝度よりも低く制限するものであることを特徴とする。
【００１８】
ピント調整のための補助光は静止画撮影時の撮影補助光と異なり、レンズを駆動してピント調整を行う期間継続して照射されるため、人に向かって照射されると、照射された人により強度の眩しさを感じさせる。本発明の第４の撮影装置によれば、人物撮影モードが選択される場合、ピント調整時に照射する光の輝度が撮影時に照射する光の輝度よりも低く制限されるため、簡易な構成で眩しさを緩和することができる。また、ＬＥＤにより発光可能な光の輝度が増大しても、光の照射を受ける人の目に対する影響を低減し安全性を高めることができる。
【発明の効果】
【００１９】
以上、説明したように、本発明によれば、補助光の照射による眩しさを緩和し、安全性がより高い撮影装置が実現する。
【発明を実施するための最良の形態】
【００２０】
以下、本発明の実施の形態について説明する。
【００２１】
［第１実施形態］
図１および図２は本発明の第１実施形態であるデジタルカメラを示す図である。図１は正面斜め上方から見た図であり、図２は背面斜め上方から見た図である。
【００２２】
図１に示すように、本実施形態のデジタルカメラ１００ではレンズ鏡胴１７０内に内蔵された撮影レンズを通してデジタルカメラ１００内部に配備されているＣＣＤ固体撮像素子まで被写体の像が導かれる。このデジタルカメラ１００では、後述するＣＣＤ固体撮像素子でスルー画や撮影画像を表す画像信号が生成される他、その画像信号に基づいてＴＴＬ測距およびＴＴＬ測光が後述するメインＣＰＵにより行われて被写体距離や被写体輝度が検出されるようにもなっている。ＴＴＬ測距においては、撮影画角内が二次元的に分割された複数の測距領域それぞれについて測距すなわち被写体距離の測定を行ない、ＴＴＬ測光においても、撮影画角内が二次元的に分割された複数の測光領域それぞれについて測光を行う。
【００２３】
図１に示すデジタルカメラ１００のレンズ鏡胴１７０上方には、ファインダ１０５および発光部１６０が配備されている。発光部１６０は９個のＬＥＤ１６０ａ〜１６８ａを備え、これらのＬＥＤ１６０ａ〜１６８ａを発光することにより被写体に向けて補助光を照射する。
【００２４】
また、図２に示すようにデジタルカメラ１００の背面および上面には、ユーザがこのデジタルカメラ１００を使用するときにいろいろな操作を行うための操作スイッチ群１０１が設けられている。
【００２５】
この操作スイッチ群１０１の中には、デジタルカメラ１００を作動させるための電源・撮影再生切替スイッチ１０１ａの他、十字キー１０１ｂ、メニュー／ＯＫキー１０１ｃ、キャンセルキー１０１ｄ、撮影モードレバー１０１ｅなどがあり、電源・撮影再生切替スイッチ１０１ａによって再生モードと撮影モードの切替が行われる。電源・撮影再生切替スイッチ１０１ａが撮影側に切り替えられるとスルー画が表示されてそのスルー画を見ながらレリーズ釦１０２が押されると被写体の撮影が行われ、再生側に切り替えられると既撮影画像の再生表示がＬＣＤパネル１５０上に行われる。
【００２６】
なお、レリーズ釦１０２は半押しと全押しの２つの操作態様を有しており、半押しされたときにＴＴＬ測光とＴＴＬ測距との双方が行われ測光値に応じた開口を持つ絞りが光軸にセットされ、またピント領域内の測距結果に応じた位置にフォーカスレンズが配置された後、全押し操作に応じて撮像素子に電子シャッタが設定され露光が行われて撮影が行われる。
【００２７】
デジタルカメラ１００には、多様な撮影シーンに対応して条件を設定する複数の撮影モードが搭載されており、撮影モード選択部としての撮影モードレバー１０１ｅがユーザに操作されることによって任意の撮影モードが選択される。これら複数の撮影モードの中には、動画を撮影する動画撮影モードと静止画を撮影する静止画撮影モードとがある。これによりデジタルカメラ１００は動画および静止画を選択的に撮影することができる。具体的な静止画撮影モードとしては、通常の撮影全般に適応できるオートモード以外に、撮影条件を人物の撮影に適する人物撮影モードとしてのポートレートモードおよびスローシンクロモード、その他のモードがある。例えば、ポートレートモードでは背景をぼかし人物を引き立たせるよう低い絞り値が採用され、スローシンクロモードでは撮影補助光を発光しつつ長いシャッター秒時が採用されて人物と背景とをバランス良く撮影できる。
【００２８】
また、デジタルカメラ１００には、エリア選択ＡＦモードやオートエリアＡＦモード等の多彩なＡＦモードが搭載されている。例えば、ＡＦモード選択状態で、ユーザのメニュー／ＯＫキー１０１ｃの操作によってＡＦモードのうちのエリア選択ＡＦモードが選択されると、図２に示すように撮影画角内を複数に分割する分割補助線１５００がスルー画とともにＬＣＤパネル１５０上に表示される。この状態にあるときに分割された領域１５０１の中のいずれかの領域がユーザの十字キー１０１ｂの操作により選択されると、選択された領域がピントを合わせる測距領域、すなわちＡＦエリアとして設定される。
【００２９】
図３は、図１および図２のデジタルカメラ１００の内部に配備された信号処理部の構成ブロック図である。
【００３０】
図３を参照してデジタルカメラ１００内にある信号処理部の構成を説明する。
【００３１】
デジタルカメラ１００ではすべての処理がメインＣＰＵ１１０によって制御されていて、このメインＣＰＵ１１０の入力部には図２に示した操作部の操作スイッチ群１０１からの操作信号がそれぞれ供給されている。メインＣＰＵ１１０はＥＥＰＲＯＭ１１０ａを有しており、このＥＥＰＲＯＭ１１０ａの中にはデジタルカメラ１００として動作するために必要なプログラムが書き込まれている。このような構成を持つデジタルカメラ１００において、電源・撮影再生切替スイッチ１０１ａが切り替えられて信号処理部に電源が投入されると、ＥＥＰＲＯＭ１１０ａ内のプログラムの手順にしたがってＣＰＵ１１０によりこのデジタルカメラ１００全体の動作が統括的に制御される。
【００３２】
画像信号の流れを、図３を参照して説明する。
【００３３】
電源・撮影再生切替スイッチ１０１ａ（図１参照）が撮影側または再生側に切り替えられると、メインＣＰＵ１１０により電源・撮影再生切替スイッチ１０１ａが切り替えられたことが検知され、電源１３０からメインＣＰＵ１１０、測光・測距ＣＰＵ１２０などの各ブロックに電力が供給される。電源・撮影再生切替スイッチ１０１ａ（図１参照）が撮影側に切り替えられた場合には、まずＣＣＤ固体撮像素子１１２に結像された被写体像が画像信号として所定の間隔ごとに間引かれて出力され、その出力された画像信号に基づく被写体像が画像表示ＬＣＤ１５のＬＣＤパネル１５０上に表示される。このＣＣＤ固体撮像素子１１２にはクロックジェネレータ（以下、ＣＧという）１１２１からタイミング信号が供給されており、このタイミング信号によって所定の間隔ごとに、画像信号が間引かれて出力される。このＣＧ１１２１はＣＰＵ１１０からの指示に基づいてタイミング信号を出力しており、そのタイミング信号は、ＣＣＤ固体撮像素子１１２の他、後段のＡ／Ｄ部１１３、およびホワイトバランス調整・γ処理部１１４にも供給されている。したがって、ＣＣＤ固体撮像素子１１２、Ａ／Ｄ部１１３、ホワイトバランス・γ処理部１１４ではそのタイミング信号に同期して順序良く画像信号の処理が流れるように行われる。
【００３４】
このようにＣＰＵ１１０の指示に応じてＣＧ１１２１から出力されるタイミング信号に同期してＡ／Ｄ部１１３、ホワイトバランスγ処理部１１４で順序良く処理が行われた後、ホワイトバランス処理部からＹＣ処理部へと画像信号がバスを通して供給される。このバスを通して画像信号を供給するにあたって、ホワイトバランスγ処理部で順次処理されて出力されてくる画像信号をそのままバスを通してＹＣ処理部へ転送するようにしてしまうと、ホワイトバランスγ処理部１１４とＹＣ処理部１１６との双方の処理タイミングにずれが生じてしまうことがあるため、後段にバッファメモリ１１５を設けて、ＹＣ処理部１１６への供給タイミングを調整することができるようにしている。そのバッファメモリ１１５からは古い時刻に記憶された画像信号から先にＹＣ処理部１１６へ供給される。そのＹＣ処理部１１６に供給された画像信号は、ＲＧＢ信号からＹＣ信号に変換され、その後バス１２１を経由してその変換されたＹＣ信号が画像表示ＬＣＤ１５側に供給される。この画像表示ＬＣＤ１５の前段にはＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２を経由して画像表示ＬＣＤ１５に供給される。この供給されたＲＧＢ信号に基づいて画像表示ＬＣＤ１５のＬＣＤパネル１５０上に被写体像の画像表示が行われる。前述したＣＧ１１２１から出力されるタイミング信号に同期してＣＣＤ固体撮像素子１１２、Ａ／Ｄ部１１３、ホワイトバランスγ処理部１１４が動作して、所定の間隔ごとにＣＣＤ固体撮像素子１１２で生成された画像信号が処理されている訳であるから、この画像表示ＬＣＤ１５のＬＣＤパネル１５０上には撮影レンズが向けられた方向の被写体が被写体像として常に表示され続ける。この表示され続けている被写体像を視認しながら、シャッタチャンスにレリーズ釦１０２が押されると、レリーズ釦１０２の押下タイミングを起点として所定の時間を経た後、ＣＣＤ固体撮像素子１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がメモリカード１１９に記録される。この圧縮・伸張部１１７では静止画についてはＪＰＥＧ規格に準拠した圧縮方法で圧縮が行われてメモリカード１１９に画像信号がファイルとして記録される。動画についてはＪＰＥＧ規格に準拠したモーションＪＰＥＧ方式に基づき圧縮が行われる。記録されたファイルのヘッダ部には圧縮情報や撮影情報などが書き込まれており、デジタルカメラ１００の電源・撮影再生切替スイッチ１０１ａが再生側に切り替えられると、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像がＬＣＤパネル１５０上に表示される。
【００３５】
また、この実施形態のデジタルカメラ１００には、メインＣＰＵ１１０の他にピント調整および露出調整を行うための測光・測距ＣＰＵ１２０が設けられており、この測光・測距ＣＰＵ１２０によって、フォーカスレンズ１１１０の位置制御、および絞りの制御が行われている。
【００３６】
ピント調整すなわち焦点調整の場合は、例えばＡＦモードのうちの中央一点固定モードが指定されていた場合には、中央の領域がピントを合わせる測距領域すなわちＡＦエリアとして選択され、この選択された測距領域内の測距結果に応じてフォーカスレンズ１１１０が駆動される。またオートエリアＡＦモードが指定されていた場合には図２に示した分割補助線１５００で分割された複数の測距領域ごとに被写体コントラストが検出されて最も被写体コントラストの大きくなる領域がピントを合わせる測距領域すなわちＡＦエリアとされ、フォーカスレンズはＡＦエリア内の測距結果に応じた位置に駆動される。前述したＡＦエリア選択モードが指定されていた場合には、操作に応じて選択されたＡＦエリア内での測距が行われ、この測距結果に応じた位置にフォーカスレンズ１１１０が駆動されピントが合わせられる。
【００３７】
露出を調整する場合には、上記ＡＦエリア（領域）の測光結果およびその他の領域の測光結果がメインＣＰＵ１１０から測光・測距ＣＰＵ１２０に伝えられ、測光・測距ＣＰＵ１２０によって例えば平均的な輝度が算出され算出された輝度に応じて絞り値すなわち絞り１１１２の開口の大きさが調節されることによりＣＣＤ固体撮像素子１１２の撮影面に与えられる輝度が調節される。
【００３８】
また、メインＣＰＵ１１０は、測光・測距ＣＰＵ１２０に指示を送信し発光部１６０に補助光を照射させている。補助光には、静止画撮影時および動画撮影時の双方で照射させる撮影補助光とピント調節時に照射させるＡＦ補助光とがある。照射される補助光の輝度はメインＣＰＵ１１０により制御される。具体的には、メインＣＰＵ１１０が測光・測距ＣＰＵ１２０に指示を送信すると、測光・測距ＣＰＵ１２０は、発光部１６０のＬＥＤ発光制御部１６ａを指示に応じて制御することによりＬＥＤ１６０ａ〜１６８ａのそれぞれに供給する電流の量ならびに供給開始または停止タイミングを制御させて、ＬＥＤ１６０ａ〜１６８ａの発光輝度を制御させる。なお、撮影補助光の照射タイミングを画像フレームの処理タイミングに合わせるため、撮影補助光（フラッシュ）発光タイミング制御部１４０が設けられている。なお本実施形態のデジタルカメラ１００において、発光部１６０に発光可能な最大輝度で発光させることをフル発光と呼ぶ。
【００３９】
図４には、発光部１６０が備える９個のＬＥＤ１６０ａ〜１６８ａの配列と、それぞれのＬＥＤに対応する９個の照射領域１６０１ａ〜１６８１ａの配列それぞれの対応関係が示されている。ＬＥＤ１６０ａ〜１６８ａのそれぞれからは、撮影画角内が二次元的に分割された複数の照射領域１６０１ａ〜１６８１ａのうちの対応する照射領域に向けて独立に制御された補助光が照射される。これにより、メインＣＰＵ１１０は、照射領域１６０１ａ〜１６８１ａのうちの一部の照射領域への光の輝度を、他の照射領域への光と異ならせて配分することができる。
【００４０】
ここで、図３に示すＥＥＲＰＯＭ１１０ａ内に記述されているプログラム中のメイン処理を説明して、次にそのメイン処理内の、露光・記録処理についてその詳細を説明する。
【００４１】
まず、メインＣＰＵ１１０が行うメイン処理を、図６を参照して説明する。
【００４２】
図５は、撮影を行うときの、メインＣＰＵ１１０が行うメイン処理の手順を示すフローチャートである。
【００４３】
メインＣＰＵ１１０は、まずステップＳ４０１でレリーズ釦１０２が半押しされたら、ＡＥ処理つまりＴＴＬ測光を行ってその結果を測光・測距ＣＰＵ１２０に伝えて結果に応じて、測光・測距ＣＰＵ１２０に絞り１１２の開口を調節させる。
【００４４】
次のステップＳ４０２で、メインＣＰＵ１１０は撮影に先だってＡＦ処理すなわち被写体に対するピント調整の処理を行う。本実施形態のデジタルカメラ１００は、中央一点固定ＡＦモードや選択エリアＡＦモードやオートエリアＡＦモードといった多彩なＡＦモードを有しているので、このステップＳ４０２のＡＦ処理により、各領域ごとに輝度のサンプリングを行って各領域ごとに被写体コントラストを求めて各領域内それぞれで最適な合焦点を検出したり、選択されたエリアに関してのみ合焦点を検出したり、中央の領域のみ合焦点を検出したりすることができる。
【００４５】
ここでは、ＡＦ処理を行うにあたって、いずれのＡＦモードであっても測光・測距ＣＰＵ１２０にフォーカスレンズを移動させることを指示し、そのフォーカスレンズを移動させている最中に所定の測距領域の被写体コントラストをサンプリングすることにより合焦点を検出することにより被写体距離を測定し、この被写体距離を測光・測距ＣＰＵ１２０に通知するようにして、それらのＡＦ情報に応じて測光・測距ＣＰＵ１２０にフォーカスレンズ１１１０の合焦点位置への移動を行わせている。また、このＡＦ処理では、先のＡＥ処理でＡＦ補助光の照射が必要であると判別された場合には、測光・測距ＣＰＵ１２０に指令を送信して、発光部１６０にＡＦ補助光を照射させる。
【００４６】
次のステップＳ４０３でレリーズ釦１０２の全押し操作タイミングを検知したら、メインＣＰＵ１１０は露光・記録処理を行う。具体的には、ＣＣＤ１１２に露光を開始させて画像信号を出力させ、Ａ／Ｄ部１１３、ホワイトバランスγ処理部１１４、バッファメモリ１１５、ＹＣ処理部１１６および圧縮・伸張部１１７に画像信号を処理させて、Ｉ／Ｆ１１８に媒体であるメモリカード１１９への記録を行わせる。静止画撮影の場合には、１画面分の画像信号に対して露光・記録処理を行う。動画撮影の場合には、予め設定された時間が経過するか、またはレリーズ釦１０２が再び全押しされたことを検知するまで、連続する画面の画像信号に対して処理を繰り返し行う。撮影補助光を発光させる必要がある場合には、露光の間、発光部１６０に撮影補助光を照射させる。
【００４７】
ステップＳ４０３の処理の後、フローの処理を終了する。
【００４８】
ここで、本実施形態のデジタルカメラ１００では、動画撮影時で、かつ被写体距離が所定の距離よりも小さいときに照射する光の輝度が、静止画撮影時に照射する光の輝度よりも低く制限されるように制御を行っているので、ステップＳ４０３の露光・記録処理の詳細を説明する。
【００４９】
図６は、ステップＳ４０３の露光・記録処理の詳細を示すフローチャートである。
【００５０】
メインＣＰＵ１１０は、まずステップＳ４０３１で、撮影モードレバー１０１ｅの状態から撮影モードを判別する。ここで、静止画撮影モードであると判別された場合には、ステップＳ４０３５の処理に進み、動画撮影モードであると判別された場合には、ステップＳ４０３３の処理に進む。
【００５１】
ステップＳ４０３３では、ステップＳ４０２のＡＦ処理で測定された被写体距離を所定の距離の値としての規定値Ｌと比較する。規定値Ｌは、例えば国際規格であるＩＥＣ６０８２５−１において、発光部１６０をフル発光させたときの輝度に対して推奨される最小の距離とする。本ステップで、被写体距離が規定値Ｌを超える、すなわち発光部１６０をフル発光させても被写体距離での照度が国際規格の基準よりも低く、この被写体距離にいる人が感じる眩しさが抑えられていると判別された場合には、ステップＳ４０３５の処理に進み、被写体距離が規定値Ｌより小さい、すなわち発光部１６０をフル発光させると被写体距離での照度が国際規格の基準よりも高く、この被写体距離にいる人が感じる眩しさが抑えられていないと判別された場合には、ステップＳ４０３４の処理に進む。
【００５２】
ステップＳ４０３４は、動画撮影時でかつ被写体距離が規定値Ｌよりも小さいときに実行される。動画撮影時では、静止画撮影時に比べより長時間継続して撮影補助光が照射されるため、より強度の眩しさを感じさせ易い。このステップでは、発光部１６０に照射させる光の輝度をフル発光での光の輝度よりも低く制限された輝度に設定する。具体的には、例えば国際規格ＩＥＣ６０８２５−１において、測定された被写体距離に対して推奨される最大の輝度を設定する。設定した後、ステップＳ４０３６の処理に進む。
【００５３】
ステップＳ４０３５では、発光部１６０に照射させる光の輝度を、フル発光での光の輝度に設定し、ステップＳ４０３６の処理に進む。
【００５４】
ステップＳ４０３６では、ステップＳ４０３４またはステップＳ４０３５のステップで設定された輝度で発光部１６０に照射させる。具体的には、測光・測距ＣＰＵ１２０に設定された輝度の情報を送信して、ＬＥＤ発光制御部１６ａを制御することにより、ＬＥＤ１６０ａ〜１６８ａに、設定された輝度に対応する電流を供給させる。これによりＥＤ１６０ａ〜１６８ａが発光して発光部１６０からＡＦ補助光が照射される。
【００５５】
次のステップＳ４０３７では、ＣＣＤ１１２に露光を開始させて画像信号をＡ／Ｄ部１１３へと出力させ、Ａ／Ｄ部１１３にアナログの画像信号からデジタルの画像信号への変換を行わせてホワイトバランスγ処理部１１４へ供給させ、ホワイトバランスγ処理部１１４に画像処理を行わせて画像処理を行わせた画像信号をバッファメモリ１１５に出力させる。また、バッファメモリ１１５に出力させた画像信号を、タイミングを計ってＹＣ処理部１１６に供給させてＹＣ処理部１１６に画像処理を行わせ、圧縮・伸張部１１７に画像圧縮させ、Ｉ／Ｆ１１８に媒体であるメモリカード１１９への記録を行わせる。静止画撮影の場合には、１画面分の画像信号に対して露光・記録処理を行う。動画撮影の場合には、予め設定された時間が経過するか、レリーズ釦１０２が再び全押しされたことを検知するまで、画像信号の処理を連続的に行う。このステップの後、ステップＳ４０３８の処理に進む。
【００５６】
ステップＳ４０３８では、発光停止の処理を行う。具体的には、測光・測距ＣＰＵ１２０に発光停止の指令を送信してＬＥＤ発光制御部１６ａを制御することにより、ＬＥＤ１６０ａ〜１６８ａへの電流の供給を停止させる。これにより発光部１６０からＡＦ補助光の照射が停止する。この後、露光・記録処理を終了する。
【００５７】
動画撮影時での補助光は、静止画撮影時での補助光に比べより長時間継続して照射されるため、人に向かって照射されると、照射された人により強度の眩しさを感じさせる。ここで、眩しさは光の照度が高いほど強く、光の照度は、発光部から被写体までの距離が小さくなるほど高い。本実施形態のデジタルカメラ１００では、動画撮影時で、かつ被写体距離が規定値Ｌよりも小さいときに発光部１６０より照射する光の輝度が、静止画撮影時に照射するフル発光での光の輝度よりも低く制限されるので、被写体での照度が制限され、被写体が人である場合にこの人が感じる眩しさを緩和することができる。
【００５８】
ここで、第１実施形態は本発明の第１の撮影装置の一実施形態に相当する。
【００５９】
また、図５に示すステップＳ４０２のＡＦ処理が図３に示すメインＣＰＵ１１０で実行されたときの、メインＣＰＵ１１０および測光・測距ＣＰＵ１２０等のハードウェアとステップＳ４０２の処理との組合せが、本発明の第１の撮影装置にいう測距部の一実施形態に相当する。
【００６０】
また、図６に示すステップＳ４０３１からステップＳ４０３８までの処理が図３に示すメインＣＰＵ１１０で実行されたときの、メインＣＰＵ１１０および測光・測距ＣＰＵ１２０等のハードウェアとステップＳ４０３１からステップＳ４０３８までの処理との組合せが、本発明の第１の撮影装置にいう発光制御部の一実施形態に相当する。
【００６１】
なお、本実施形態では、被写体距離を比較する基準としての規定値Ｌおよび制限された輝度を国際規格ＩＥＣ６０８２５−１に基づいて定めたが、本発明はこれに限るものではなく、眩しさを低減するための基準であれば、他の規格や仕様に基づいて定めるものであってよい。
【００６２】
また、本実施形態では、制限のない輝度としてフル発光の輝度で説明したが、本発明はこれに限るものではなく、制限のない輝度としては、制限された輝度よりも相対的に高い輝度であれば他の輝度を採用してもよい。
【００６３】
また、本実施形態では、撮影装置の例としてＣＣＤ固体撮像素子１１２を備えるデジタルカメラ１００を説明したが、本発明はこれに限るものではなく、例えば、撮影機能が組み込まれた携帯電話機等であってもよく、また写真フイルムを装填するタイプのカメラであってもよい。
【００６４】
また、本実施形態では、発光部１６０が９個のＬＥＤ１６０ａ〜１６８ａを備えるとして説明したが、本発明はこれに限るものではなく、発光部が備えるＬＥＤは何個であってもよく、例えば１個であってもよい。
【００６５】
［第２実施形態］
図７、図８、図９および図１０は、本発明の第２実施形態を説明する図である。
【００６６】
図７は、第２実施形態のデジタルカメラの内部に配備された信号処理部の構成ブロック図である。本実施形態のデジタルカメラは、図３に示す第１実施形態のデジタルカメラに対し、画像処理によって顔位置を検出する顔認識部１１０５を備えている点が異なる。ここで、顔認識部１１０５は、バス１２１を経由してバッファメモリ１１５から画像信号を読み出し、この画像信号を画像処理することにより被写体像の中に含まれる顔および顔位置を認識するものである。また、顔認識部１１０５は、認識した顔位置の情報をメインＣＰＵ１１０に供給する。
【００６７】
図８には、本実施形態のデジタルカメラにおける撮影画角内が３×３の二次元的に分割された、複数の測距領域１５０１１，１５０１２，１５０１３，１５０１４，１５０１５，１５０１６，１５０１７，１５０１８，１５０１９が示されている。図８は一例として、複数の測距領域１５０１１〜１５０１９のうちの測距領域１５０１５で顔位置が認識されている状態を示す。顔認識部１１０５はメインＣＰＵ１１０に、測距領域１５０１５に対応する顔位置の情報を供給する。
【００６８】
本実施形態のデジタルカメラの信号処理部の他の構成および外観は、図３、図１および図２に示す第１実施形態のデジタルカメラのものと同様であるので、同一の符号を付し、説明を省略する。
【００６９】
図９は、本実施形態のデジタルカメラのメインＣＰＵ１１０が行う撮影処理のメイン処理を示すフローチャートである。
【００７０】
本実施形態のデジタルカメラのメインＣＰＵ１１０は、まずステップＳ１４００で顔認識処理を行う。具体的には、顔認識部１１０５に画像信号の画像処理により顔位置を認識させる。顔認識部１１０５が顔位置を認識した場合には、顔位置の情報を読み出す。続いてステップＳ４０１のＡＥ処理、およびステップＳ４０２のＡＦ処理、およびステップＳ１４０３の露光・記録処理を実行する。ここで、本実施形態のメインＣＰＵ１１０が行うステップＳ４０１およびステップＳ４０２の処理は、図５に示す第１実施形態のメイン処理と同様であるので同一の符号を付して説明を省略する。
【００７１】
図１０は、本実施形態のデジタルカメラのメインＣＰＵ１１０が行うステップＳ１４０３の露光・記録処理の詳細を示すフローチャートである。
【００７２】
メインＣＰＵ１１０は、まずステップＳ４０３１で、撮影モードレバー１０１ｅの状態から撮影モードを判別する。ここで、静止画撮影モードであると判別された場合には、ステップＳ４０３５の処理に進み、動画撮影モードであると判別された場合には、ステップＳ１４０３２の処理に進む。
【００７３】
ステップＳ１４０３２では、ステップＳ１４００の顔認識処理での顔認識処理結果を判別する。顔認識部１１０５で顔位置が認識されなかったと判別された場合にはステップＳ４０３５の処理に進み、発光部１６０にフル発光の輝度で撮影補助光を照射させる。一方、顔が認識されたと判別された場合には、ステップＳ４０３４の処理に進み、フル発光での輝度よりも低い輝度で撮影補助光を照射させる。
【００７４】
ステップＳ４０３４およびステップＳ４０３５以降のステップの処理は、図６に示す第１実施形態の露光・記録処理と同様であるので同一の符号を付して説明を省略する。
【００７５】
動画撮影時での補助光は、人に向かって照射されると、照射された人により強度の眩しさを感じさせ易いが、本実施形態のデジタルカメラによれば、動画撮影時で、かつ顔位置が認識されたときに照射する光の輝度が、静止画撮影時に照射するフル発光の光の輝度よりも低く制限されるので、人を撮影する場合に眩しさを緩和することができる。一方、人以外のものを撮影する場合には顔位置が認識されないので、フル発光によってより遠くの被写体にも十分な小どの撮影補助光を照射することができる。このように撮影補助光の輝度を、人を撮影するか否かに適切に対応させることができる。また、ＬＥＤにより発光可能な光の輝度が増大しても、照射を受ける人の目に対する影響を低減することができる。
【００７６】
ここで、第２実施形態は本発明の第３の撮影装置の一実施形態に相当する。
【００７７】
また、図９に示すステップＳ１４００の顔認識処理が図３に示すメインＣＰＵ１１０で実行されたときの、メインＣＰＵ１１０および顔認識部１１０５等のハードウェアとステップＳ１４００の処理との組合せが、本発明の第２の撮影装置にいう顔認識部の一実施形態に相当する。
【００７８】
また、図１０に示すステップＳ４０３１からステップＳ４０３８までの処理およびステップＳ１４０３２の処理が図３に示すメインＣＰＵ１１０で実行されたときの、メインＣＰＵ１１０および測光・測距ＣＰＵ１２０等のハードウェアとステップＳ４０３１からステップＳ４０３８までの処理およびステップＳ１４０３２との組合せが、本発明の第２の撮影装置にいう発光制御部の一実施形態に相当する。
【００７９】
なお、本実施形態では、撮影装置の例としてデジタルカメラを説明したが、本発明はこれに限るものではなく、例えば撮影機能が組み込まれた携帯電話機等であってもよい。
【００８０】
［変形例］
なお、本発明は、以上説明した実施形態や以降に説明する実施形態の組合せによっても実現できるが、組合せの一例として、上記第２実施形態に上記第１実施形態の要素を組み合せた変形例を説明する。
【００８１】
図１１は、この変形例のデジタルカメラのメインＣＰＵ１１０が行う露光・記録処理の詳細を示すフローチャートである。この変形例のデジタルカメラの外観、信号処理部の構成および撮影処理のメイン処理は、第２実施形態と同様であるので省略する。
【００８２】
この変形例で、メインＣＰＵ１１０は、まずステップＳ４０３１で、撮影モードレバー１０１ｅの状態から撮影モードを判別する。ここで、静止画撮影モードであると判別された場合には、ステップＳ４０３５の処理に進み、動画撮影モードであると判別された場合には、ステップＳ１４０３２の処理に進む。
【００８３】
ステップＳ２４０３２では、顔認識処理での顔認識処理結果を判別する。ここで、顔認識部１１０５により顔が認識されなかったと判別された場合にはステップＳ４０３５の処理に進み発光部によりフル発光の輝度で撮影補助光を照射させる。一方、顔が認識されたと判別された場合には、ステップＳ２４０３３の処理に進む。
【００８４】
ステップＳ２４０３３では、ＡＦ処理で測定された被写体距離を所定の値である規定値Ｌと比較し、被写体距離が規定値Ｌを超えると判別された場合にはステップＳ４０３５の処理に進み、被写体距離が規定値Ｌより小さいと判別された場合には、ステップＳ４０３４の処理に進み、フル発光の輝度よりも低い輝度で撮影補助光を照射させる。ステップＳ４０３４およびステップＳ４０３５以降のステップの処理は、図１０に示す第１実施形態の露光・記録処理と同様である。
【００８５】
この変形例のデジタルカメラによれば、第１実施形態および第２実施形態の双方の効果が得られる。
【００８６】
［第３実施形態］
図１２および図１３は、本発明の第３実施形態を説明する図である。
【００８７】
図１２は、第３実施形態のデジタルカメラのメインＣＰＵ１１０が行う撮影処理のメイン処理を示すフローチャートであり、図１３は本実施形態のデジタルカメラのメインＣＰＵ１１０が行うステップＳ３４０２のＡＦ処理の詳細を示すフローチャートである。なお、本実施形態のデジタルカメラでの撮影処理のメイン処理は、ステップＳ３４０２のＡＦ処理を除き、図９に示す第２実施形態のデジタルカメラのものと同様である。また信号処理部の構成は、図７に示す第２実施形態のデジタルカメラのものと同様であり、外観は図１および図２に示す第１実施形態のデジタルカメラのものと同様であるので同一の符号を付し、説明を省略する。
【００８８】
図１３を参照して、ステップＳ３４０２ＡＦ処理すなわちピント調整の処理を説明する。
【００８９】
本実施形態のデジタルカメラのメインＣＰＵ１１０は、まずステップＳ３４０２１で、測光・測距ＣＰＵ１２０に指示を送信し、フォーカスレンズ１１１０を初期位置へ移動させる。フォーカスレンズ１１１０の初期位置は、例えば撮影レンズのピントが無限遠に合う位置である。
【００９０】
次のステップＳ３４０２２で、図１２に示すステップＳ４０１のＡＥ処理の結果から、ＡＦ補助光を発光する必要があるか否かを判別する。具体的には、ステップＳ４０１のＡＥ処理でのＴＴＬ測光の結果、撮影補助光を発光する必要がある場合には、ＡＦ補助光も発光する必要があると判断する。ここで、被写体が十分に明るくＡＦ補助光を発光する必要がないと判別された場合には、ステップＳ３４０２６に進み、ＡＦ補助光を発光しないようにする。ＡＦ補助光を発光する必要があると判別された場合には、ステップＳ３４０２３に進み、ステップＳ１４００の顔認識処理での顔認識処理結果を判別する。ここで、顔認識部１１０５により顔位置が認識されなかったと判別された場合にはステップＳ３４０２５の処理に進み、発光部１６０に静止画撮影の撮影補助光のと同様にフル発光の輝度でＡＦ補助光を照射させる。一方、顔が認識されたと判別された場合には、ステップＳ３４０２４の処理に進み、フル発光の輝度よりも低い輝度でＡＦ補助光を照射させる。このようにして、顔位置が認識されたことを条件として、撮影補助光の輝度よりも低い輝度に制限された輝度でＡＦ補助光を照射させる。
【００９１】
次のステップＳ３４０２６では、フォーカスレンズ１１１０を駆動し、初期位置から移動しながら被写体コントラストをサンプリングすることにより、被写体コントラストのピークを検出する。ピークが検出された位置では被写体にピントが合っているとし、フォーカスレンズ１１１０をこの位置に固定する。フォーカスレンズ１１１０の駆動は、測光・測距ＣＰＵ１２０に指示を送信することにより行う。この後ステップＳ３４０２７で、測光・測距ＣＰＵ１２０に指示を送信することによりＡＦ補助光の照射を停止し、フローの処理を終了する。
【００９２】
ピント調整のための補助光は静止画撮影時の撮影補助光と異なり、レンズを駆動してピント調整を行う期間継続して照射されるため、人に向かって照射されると、照射された人により強度の眩しさを感じさせる。本実施形態のデジタルカメラによれば、ピント調整時に照射するＡＦ補助光の輝度が、撮影時に照射するフル発光の光の輝度よりも低く制限されるので、人を撮影する場合に眩しさを緩和することができる。また、ＬＥＤにより発光可能な光の輝度が増大しても、光の照射を受ける人の目に対する影響を低減することができる。また、顔位置を認識することにより人を撮影するか否かを確実に判別し、人を撮影する場合には眩しさを緩和する一方、その他の場合には制限のないフル発光の輝度を照射してピント調整を行い易くすることができる。
【００９３】
ここで、第３実施形態は本発明の第３の撮影装置の一実施形態に相当する。
【００９４】
また、図１３に示すステップＳ３４０２２からステップＳ３４０２５までの処理および図１３に示すステップＳ４０３の処理が図３に示すメインＣＰＵ１１０で実行されたときの、メインＣＰＵ１１０および測光・測距ＣＰＵ１２０等のハードウェアとステップＳ３４０２２からステップＳ３４０２５までの処理およびステップＳ４０３の処理との組合せが、本発明の第３の撮影装置にいう発光制御部の一実施形態に相当する。
【００９５】
また、図１２に示すステップＳ１４００の顔認識処理が図３に示すメインＣＰＵ１１０で実行されたときの、メインＣＰＵ１１０および顔認識部１１０５等のハードウェアとステップＳ１４００の処理との組合せが、本発明の第３の撮影装置にいう顔認識部の一実施形態に相当する。
【００９６】
また、図１３に示すステップＳ３４０２１およびステップＳ３４０２６の処理が図３に示すメインＣＰＵ１１０で実行されたときの、メインＣＰＵ１１０および測光・測距ＣＰＵ１２０等のハードウェアとステップＳ３４０２１およびステップＳ３４０２６の処理との組合せは、ピント調整部の機能を実現する。
【００９７】
なお、本実施形態では、顔認識結果を判定するものとして説明したが、本発明はこれに限るものではなく、構成をより簡潔にする場合には、顔認識および顔認識結果の判定を行わないこととしてよい。
【００９８】
また、本実施形態では、撮影装置の例としてデジタルカメラを説明したが、本発明はこれに限るものではなく、例えば撮影機能が組み込まれた携帯電話機等であってもよい。
【００９９】
［第４実施形態］
図１４および図１５は、本発明の第４実施形態を説明する図である。
【０１００】
図１４は、第４実施形態のデジタルカメラのメインＣＰＵ１１０が行うＡＦ処理の詳細を示すフローチャートである。本実施形態のデジタルカメラは、図１４に示すＡＦ処理のうち、ステップＳ４４０２４の処理およびＳ４４０２５の処理が、図１３に示す第３実施形態のデジタルカメラのＡＦ処理に比べて異なり、これらの他の処理、並びに構成は同様であるので同一の符号を付し説明を省略する。
【０１０１】
図１５には、本実施形態のデジタルカメラにおける撮影画角内が３×３の二次元的に分割された領域として、９個の測距領域１５０１１，１５０１２，１５０１３，１５０１４，１５０１５，１５０１６，１５０１７，１５０１８，１５０１９が示されている。ここで、９個の測距領域１５０１１〜１５０１９のそれぞれは、図４に示す、９個の照射領域１６０１ａから１６８１ａにそれぞれに対応付けられている。図１５は、複数の測距領域１５０１１〜１５０１９のうちの測距領域１５０１６で顔位置が認識されている場合の例を示す。この場合に顔認識部１１０５は、測距領域１５０１６に対応する顔位置の情報をメインＣＰＵ１１０に供給する。
【０１０２】
図１４のフローチャートに戻ると、顔位置が認識されたとして実行されるステップＳ４４０２４で、メインＣＰＵ１１０は、例えば図１５に示す顔位置の場合、顔位置に対応する照射領域を除く他の照射領域１６０１ａ、１６１１ａ、１６２１ａ、１６４１ａ、１６５１ａ、１６６１ａ、１６７１ａ、１６８１ａ（図４参照）に対し、フル発光を行う場合の輝度に相当する輝度でＡＦ補助光を照射させ、顔位置に対応する照射領域１６３１ａに対し、フル発光の場合の輝度よりも低い輝度に制限した輝度でＡＦ補助光を照射させる。具体的には、顔認識部１１０５により認識された顔位置が含まれる測距領域１５０１６に対応する照射領域１６３１ａに向けて発光するＬＥＤ１６３ａの輝度を、フル発光時の輝度よりも低い輝度で発光させる。
【０１０３】
本実施形態のデジタルカメラによれば、人を撮影する場合に、顔位置に対応する照射領域１６３１ａへのＡＦ補助光の輝度を抑えて眩しさを緩和すると同時に、その他の照射領域１６０１ａ〜１６２１ａおよびＬＥＤ１６４１ａ〜１６８１ａには制限のない輝度の光を照射してピント調整を行い易くすることができる。
【０１０４】
ここで、第４実施形態は本発明の第３の撮影装置の一実施形態に相当する。
【０１０５】
また、図９に示すステップＳ１４００の顔認識処理が図３に示すメインＣＰＵ１１０で実行されたときの、メインＣＰＵ１１０および顔認識部１１０５等のハードウェアとステップＳ１４００の処理との組合せが、本発明の第２の撮影装置にいう顔認識部の一実施形態に相当する。
【０１０６】
また、図１４に示すステップＳ３４０２２、Ｓ３４０２３、Ｓ４４０２４およびＳ４４０２５の処理が図３に示すメインＣＰＵ１１０で実行されたときの、メインＣＰＵ１１０および測光・測距ＣＰＵ１２０等のハードウェアとステップＳ３４０２２、Ｓ３４０２３、Ｓ４４０２４およびＳ４４０２５の処理との組合せが、本発明の第３の撮影装置にいう発光制御部の一実施形態に相当する。
【０１０７】
なお、本実施形態では、９個の照射領域がそれぞれ９個の測距領域に対応するとして説明したが、本発明はこれに限るものではなく、認識される顔位置がいずれかの照射領域に対応するものであればよい。例えば照射領域と測距領域とは一意に対応していなくてもよい。
【０１０８】
また、本実施形態では、撮影装置の例としてデジタルカメラを説明したが、本発明はこれに限るものではなく、例えば撮影機能が組み込まれた携帯電話機等であってもよい。
【０１０９】
［第５実施形態］
図１６は、本発明の第５実施形態を説明する図である。
【０１１０】
図１６は、第５実施形態のデジタルカメラのメインＣＰＵ１１０が行うＡＦ処理の詳細を示すフローチャートである。本実施形態のデジタルカメラは、図１６に示すＡＦ処理のうち、ステップＳ５４０２３の処理が、図１３に示す第３実施形態のデジタルカメラのＡＦ処理と比べて異なり、この他の処理および構成は同様であるので同一の符号を付し説明を省略する。
【０１１１】
図１６のステップＳ５４０２３で、メインＣＰＵ１１０は、撮影モードを判定する。具体的には、操作スイッチ群１０１のうちの、撮影モードレバー１０１ｅにより、人物撮影モードとしてのポートレートモードおよびスローシンクロモードのいずれかが選択されているか否かを判別する。ここで、ポートレートモードまたはスローシンクロモードが選択されている場合には、被写体が人であると推定してステップＳ３４０２４の処理に進み、フル発光の輝度よりも低い輝度でＡＦ補助光を照射させる。ポートレートモードまたはスローシンクロモード以外のモードが選択されている場合には、ステップＳ３４０２５の処理に進み発光部によりフル発光の輝度でＡＦ補助光を照射させる。
【０１１２】
本実施形態のデジタルカメラによれば、人物撮影モードが選択される場合にピント調整時に照射する光の輝度が撮影時に照射する光の輝度よりも低く制限されるため、簡易な構成で眩しさを緩和することができる。
【０１１３】
ここで、図１６に示すステップＳ３４０２２からＳ３４０２５およびＳ５４０２３の処理が図３に示すメインＣＰＵ１１０で実行されたときの、メインＣＰＵ１１０および測光・測距ＣＰＵ１２０等のハードウェアとステップＳ３４０２２からＳ３４０２５およびＳ５４０２３の処理との組合せが、本発明の第４の撮影装置にいう発光制御部の一実施形態に相当する。
【０１１４】
なお、本実施形態では、撮影装置の例としてデジタルカメラを説明したが、本発明はこれに限るものではなく、例えば撮影機能が組み込まれた携帯電話機等であってもよい。
【図面の簡単な説明】
【０１１５】
【図１】本発明の第１実施形態であるデジタルカメラを正面斜め上方から見た図である。
【図２】本発明の第１実施形態であるデジタルカメラを背面斜め上方から見た図である。
【図３】図１のデジタルカメラ１００の内部に配備された信号処理部の構成ブロック図である。
【図４】発光部１６０が備える９つのＬＥＤ１６０ａ〜１６８ａの配列と、それぞれのＬＥＤに対応する照射領域１６０１ａ〜１６８１ａの配列それぞれの対応関係が示す図である。
【図５】メインＣＰＵ１１０が行うメイン処理の手順を示すフローチャートである。
【図６】ステップＳ４０３の露光・記録処理の詳細を示すフローチャートである。
【図７】第２実施形態のデジタルカメラの内部に配備された信号処理部の構成ブロック図である。
【図８】撮影画角内が二次元的に分割された、複数の測距領域を示す図である。
【図９】第２実施形態のデジタルカメラのメインＣＰＵ１１０が行う撮影処理のメイン処理を示すフローチャートである。
【図１０】第２実施形態のデジタルカメラのメインＣＰＵ１１０が行うステップＳ１４０３の露光・記録処理の詳細を示すフローチャートである。
【図１１】第２実施形態の変形例のデジタルカメラのメインＣＰＵ１１０が行う露光・記録処理の詳細を示すフローチャートである。
【図１２】第３実施形態のデジタルカメラのメインＣＰＵ１１０が行う撮影処理のメイン処理を示すフローチャートである。
【図１３】第３実施形態のデジタルカメラのメインＣＰＵ１１０が行うステップＳ３４０２のＡＦ処理の詳細を示すフローチャートである。
【図１４】第４実施形態のデジタルカメラのメインＣＰＵ１１０が行うＡＦ処理の詳細を示すフローチャートである。
【図１５】第４実施形態のデジタルカメラにおける撮影画角内が３×３の二次元的に分割された、９個の測距領域を示す図である。
【図１６】第５実施形態のデジタルカメラのメインＣＰＵ１１０が行うＡＦ処理の詳細を示すフローチャートである。
【符号の説明】
【０１１６】
１００    デジタルカメラ
１０１ｅ  撮影モードレバー（撮影モード選択部）
１１０    メインＣＰＵ
１２０    測光・測距ＣＰＵ
１６０    発光部
１６０ａ〜１６８ａ    ＬＥＤ
１１０５    顔認識部
１５０１１〜１５０１８    測距領域
１６０１ａ〜１６８１ａ    照射領域
【図１】
0004551295.tif 000002
【図２】
0004551295.tif 000003
【図３】
0004551295.tif 000004
【図４】
0004551295.tif 000005
【図５】
0004551295.tif 000006
【図６】
0004551295.tif 000007
【図７】
0004551295.tif 000008
【図８】
0004551295.tif 000009
【図９】
0004551295.tif 000010
【図１０】
0004551295.tif 000011
【図１１】
0004551295.tif 000012
【図１２】
0004551295.tif 000013
【図１３】
0004551295.tif 000014
【図１４】
0004551295.tif 000015
【図１５】
0004551295.tif 000016
【図１６】
0004551295.tif 000017